(57)【要約】【課題】洗浄性能を向上できるタンク装置を提供すること。【解決手段】便器装置１が備えるタンク装置１０は、便器本体２を洗浄する洗浄水を貯留する。このタンク装置１０は、排水管２１に繋がる排水口２０が底部１８に設けられたタンク１２と、蓋部（図示省略）と、排水口２０を開閉する排水弁１３と、タンク１２の水位の低下に応じて排水管２１の流路面積を広げる流路面積変更部材１４と、玉鎖１５と、操作レバー１６と、フロート１７と、を備える。【選択図】図１
2018053512.tif 000002
【特許請求の範囲】
【請求項１】
排水路に繋がる排水口が底部に設けられたタンクと、
前記排水口を開閉する排水弁と、
前記タンクの水位の低下に応じて前記排水路の流路面積を広げる流路面積変更部材と、を備えるタンク装置。
【請求項２】
前記排水弁は、前記流路面積変更部材を兼ねる請求項１に記載のタンク装置。
【請求項３】
前記タンク内に設けられ、前記流路面積変更部材の動力を発生させる浮きを更に備える請求項１に記載のタンク装置。
【請求項４】
前記流路面積変更部材の動力を発生させるモーターを更に備える請求項１又は２に記載のタンク装置。
【請求項５】
前記流路面積変更部材は、左右方向にスライドする請求項１〜４のいずれかに記載のタンク装置。
【請求項６】
前記流路面積変更部材は、回動する請求項１〜４のいずれかに記載のタンク装置。
【請求項７】
前記流路面積変更部材は、昇降する請求項１〜４のいずれかに記載のタンク装置。
【発明の詳細な説明】
【技術分野】
【０００１】
本発明は、タンク装置に関する。
【背景技術】
【０００２】
従来、タンクを備える水洗式大便器では、タンクの水位が高いほど洗浄水の瞬間流量が大きくなる構造を採用している。このような水洗大便器では、タンクの水位が高いときには高い洗浄性能を得られるが、時間が経過すると、タンクの水位が下がるため洗浄水の瞬間流量が減少し、洗浄性能が低下してしまう。
【０００３】
そこで、特許文献１に記載の水洗式大便器では、洗浄水タンクから排出される洗浄水の瞬間流量を抑え、その流量の維持時間を延長するために、洗浄水タンクの排水口の開口断面積を縮小させる絞り部材を配置している。
【先行技術文献】
【特許文献】
【０００４】
【特許文献１】特開２０１３−２０９８１２号公報
【発明の概要】
【発明が解決しようとする課題】
【０００５】
しかしながら、特許文献１に記載の水洗式大便器であっても、タンクの水位が低下すること、すなわち水頭圧が低下することで流量が低下してしまうので、洗浄性能の低下は避けられない。
【０００６】
本発明は上記に鑑みてなされたものであり、その目的は、洗浄性能を向上できるタンク装置を提供することにある。
【課題を解決するための手段】
【０００７】
上記目的を達成するため本発明は、排水路（例えば、後述する排水管２１）に繋がる排水口（例えば、後述する排水口２０）が底部（例えば、後述する底部１８）に設けられたタンク（例えば、後述するタンク１２）と、前記排水口を開閉する排水弁（例えば、後述する排水弁１３）と、前記タンクの水位の低下に応じて前記排水路の流路面積を広げる流路面積変更部材（例えば、後述する流路面積変更部材１４）と、を備えるタンク装置（例えば、後述するタンク装置１０）を提供する。
【０００８】
また、前記排水弁は、前記流路面積変更部材を兼ねることが好ましい。
【０００９】
また、タンク装置は、前記流路面積変更部材の動力を発生させるモーターを備えることが好ましい。
【００１０】
また、タンク装置は、前記タンク内に設けられ、前記流路面積変更部材の動力を発生させる浮きを備えることが好ましい。
【００１１】
また、前記流路面積変更部材は、左右方向にスライドすることが好ましい。
【００１２】
また、前記流路面積変更部材は、回動することが好ましい。
【００１３】
また、前記流路面積変更部材は、昇降することが好ましい。
【発明の効果】
【００１４】
本発明によれば、水位の低下、すなわち水頭圧の低下に応じて排水路の流路面積が広がることにより、タンクの水位によらず吐水の流量が略一定となるため、洗浄性能を向上できるタンク装置を提供できる。
【図面の簡単な説明】
【００１５】
【図１】第１実施形態に係るタンク装置を備える便器装置の模式図である。
【図２】第１実施形態に係るタンク装置が備える排水弁及び流路面積変更部材の部分断面正面図である。
【図３】第１実施形態に係るタンク装置において、（ａ）図は、排水前の状態を示す模式図であり、（ｂ）図は、排水開始時の状態を示す模式図であり、（ｃ）図は、排水中の状態を示す模式図である。
【図４】第２実施形態に係るタンク装置において、（ａ）図は、排水前の状態を示す模式図であり、（ｂ）図は、排水開始時の状態を示す模式図であり、（ｃ）図は、排水中の状態を示す模式図である。
【図５】第３実施形態に係るタンク装置において、（ａ）図は、排水前の状態を示す模式図であり、（ｂ）図は、排水開始時の状態を示す模式図であり、（ｃ）図は、排水中の状態を示す模式図である。
【図６】第４実施形態に係るタンク装置において、（ａ）図は、排水前の状態を示す模式図であり、（ｂ）図は、排水開始時の状態を示す模式図であり、（ｃ）図は、排水中の状態を示す模式図である。
【図７】第５実施形態に係るタンク装置において、（ａ）図は、排水前の状態を示す模式図であり、（ｂ）図は、排水開始時の状態を示す模式図であり、（ｃ）図は、排水中の状態を示す模式図である。
【図８】第６実施形態に係るタンク装置において、（ａ）図は、排水前の状態を示す模式図であり、（ｂ）図は、排水開始時の状態を示す模式図であり、（ｃ）図は、排水中の状態を示す模式図である。
【発明を実施するための形態】
【００１６】
以下、本発明の実施形態について、図面を参照して詳細に説明する。なお、第２実施形態以降の説明において、第１実施形態と共通する構成については同一の符号を付し、対応する構成については同一の規則性に従って符号を付し、適宜その説明を省略する。また、第２実施形態以降の説明において、第１実施形態と共通する作用、効果については、適宜その説明を省略する。
【００１７】
［第１実施形態］
図１は、本発明の第１実施形態に係るタンク装置１０を備える便器装置１の模式図である。図２は、タンク装置１０が備える排水弁１３及び流路面積変更部材１４の部分断面正面図である。図３（ａ）は、タンク装置１０における排水前の状態を示す模式図である。図３（ｂ）は、タンク装置１０における排水開始時の状態を示す模式図である。図３（ｃ）は、タンク装置１０における排水中の状態を示す模式図である。
【００１８】
図１に示すように、便器装置１は、便器本体２と、タンク装置１０と、を備える。
【００１９】
便器本体２は、便鉢３と、便鉢３の下流側に連通する便器排水路４と、を有している。便鉢３及び便器排水路４は、封水部５を構成する。便器排水路４の下流端には、径寸法を狭める絞り部６が設けられている。
【００２０】
タンク装置１０は、導水配管１１から供給される水を、便器本体２を洗浄する洗浄水として貯留する。このタンク装置１０は、導水配管１１と、タンク１２と、蓋部（図示省略）と、排水弁１３と、流路面積変更部材１４と、玉鎖１５と、操作レバー１６と、フロート１７と、を備える。
【００２１】
タンク１２は、底部１８と、この底部１８から起立する複数の側壁１９と、を備え、上面が開口した箱状に形成される。
【００２２】
底部１８には、タンク１２に貯留された洗浄水を排出する排水口２０が形成される。排水口２０は、排水路となる排水管２１を介して便器本体２に接続される。排水口２０には、排水口２０を開閉する排水弁１３と、タンク１２の水位の低下に応じて排水管２１の流路面積を広げる流路面積変更部材１４と、が配置される。
【００２３】
図２に示すように、排水弁１３は、頭部２２と、嵌入部２３と、スライド軸２４と、を備える。
【００２４】
頭部２２は、排水口２０の内径よりも一回り大きい外径で、嵌入部２３と一体にゴム等で構成される。この頭部２２は、嵌入部２３と一体となって上下方向に移動するものであり、排水弁１３が排水口２０を閉じる場合に、排水口２０を覆う。
【００２５】
嵌入部２３は、排水口２０の内径と略同じ外径で、頭部２２と一体にゴム等で構成される。この嵌入部２３は、頭部２２と一体となって上下方向に移動するものであり、排水弁１３が排水口２０を閉じる場合に、排水口２０に嵌まる。
【００２６】
スライド軸２４は、上端が頭部２２及び嵌入部２３に固定され、下端が下方に向けて延出する。このスライド軸２４には、流路面積変更部材１４がスライド可能に取り付けられる。
【００２７】
以上の排水弁１３は、玉鎖１５を介して操作レバー１６に接続されており、操作レバー１６の操作により、上下方向に移動することで排水口２０を開閉する。
【００２８】
流路面積変更部材１４は、下方に向けて尖った円錐形状に、かつ中央に縦に穴が貫通するように形成される。この流路面積変更部材１４は、排水弁１３のスライド軸２４にスライド可能に取り付けられる。
【００２９】
以上の流路面積変更部材１４は、水圧の影響が及んでいない場合、自重によってスライド軸２４の下端に位置する。そして、流路面積変更部材１４は、水圧の影響が及ぶことで、スライド軸２４に沿って上方にスライドし、嵌入部２３の下端に近接し又は到達する。これにより、流路面積変更部材１４は、排水管２１の流路面積を広げる。
【００３０】
次に、図３を用いて、タンク装置１０における排水の流れを説明する。
図３（ａ）に示すように、タンク装置１０における排水前は、排水弁１３が排水口２０を閉じており、導水配管１１を介して供給される洗浄水によって、タンク１２は満水になっている。流路面積変更部材１４は、排水管２１内に位置することで水圧の影響が及んでいないので、自重によってスライド軸２４の下端に位置する。
【００３１】
図３（ｂ）に示すように、タンク装置１０における排水開始時は、操作レバー１６の操作によって排水弁１３が排水口２０を開く。排水口２０が開かれることで、排水口２０からの吐水が開始され、タンク１２内の洗浄水が排水管２１を介して便器本体２（図１参照）に排出される。洗浄水が排出されて排水管２１が水により満たされることで、流路面積変更部材１４には浮力が発生するが、この状態では、流路面積変更部材１４はスライド軸２４の下端に位置する。即ち、タンク１２の水位が高い状態では、「タンク１２から吐出される水の流れによる下向きの力」が「流路面積変更部材１４の浮力による上向きの力」よりも大きいため、流路面積変更部材１４は持ち上がらない。このような流路面積変更部材１４により、排水管２１は絞られており、排水管２１内の流路面積は相対的に狭い。
【００３２】
図３（ｃ）に示すように、タンク装置１０における排水中は、タンク１２の水位の低下と共に流路面積変更部材１４に及ぶ水圧も低下する。タンク１２の水位が低下した場合には、タンク１２から吐出される水の流れによる下向きの力が徐々に弱くなることに起因して、相対的に流路面積変更部材１４の浮力による上向きの力が大きくなり、流路面積変更部材１４が上昇していく。そして、流路面積変更部材１４が嵌入部２３の下端に向けて徐々に近接（上昇）することで、排水管２１の流路面積が徐々に広がる。
【００３３】
ところで、排水口２０からの吐水の流量Ｑは、定数をＣとし、排水管２１の流路面積をＡとし、タンク１２の水位をｈとした場合、Ｑ＝Ｃ×Ａ×ｈ１／２の関係を有するが、水位の値ｈが減少すると共に、流路面積の値Ａが増大することにより、流量の値Ｑは略一定に保たれる。
【００３４】
以上のタンク装置１０は、排水管２１に繋がる排水口２０が底部１８に設けられたタンク１２と、排水口２０を開閉する排水弁１３と、タンク１２の水位ｈの低下に応じてして排水管２１の流路面積Ａを広げる流路面積変更部材１４と、を備える。結果、水位ｈの低下、すなわち水頭圧の低下に応じて排水管２１の流路面積Ａが広がることにより、タンク１２の水位ｈによらず吐水の流量Ｑが略一定となるため、洗浄能力を向上できる。
【００３５】
［第２実施形態］
図４（ａ）は、第２実施形態に係るタンク装置３０における排水前の状態を示す模式図である。図４（ｂ）は、タンク装置３０における排水開始時の状態を示す模式図である。図４（ｃ）は、タンク装置３０における排水中の状態を示す模式図である。
【００３６】
本実施形態に係るタンク装置３０は、流路面積変更部材１４の動力を発生させるモーター３１を備える点等が第１実施形態と相違する。
【００３７】
図４に示すように、タンク装置３０は、第１実施形態の構成に加え、モーター３１と、連結部材３２と、を備える。
【００３８】
モーター３１は、タンク１２の満水時の水面よりも上方に配置される。このモーター３１は、周知のセンサー又はスイッチ等の動作に伴って駆動すると共に、周知のセンサー、スイッチ又はタイマー等の動作に伴って停止する。具体的には、モーター３１は、操作レバー１６の操作に連動して連結部材３２の巻き上げを開始し、連結部材３２の巻上げが完了すると停止する。
【００３９】
連結部材３２は、モーター３１と流路面積変更部材１４とを連結する紐等であり、排水弁１３を貫通するように設けられる。この連結部材３２は、モーター３１によって巻き上げられることで、流路面積変更部材１４を上方に引き上げる。
【００４０】
流路面積変更部材１４は、連結部材３２によって巻き上げられていない場合、自重によってスライド軸２４の下端に位置する。そして、流路面積変更部材１４は、連結部材３２による巻き上げによって、スライド軸２４に沿って上方にスライドし、嵌入部２３の下端に近接し又は到達する。
【００４１】
次に、図４を用いて、タンク装置３０における排水の流れを説明する。
【００４２】
図４（ａ）に示すように、タンク装置３０における排水前は、排水弁１３が排水口２０を閉じており、導水配管１１を介して供給される洗浄水によって、タンク１２は満水になっている。流路面積変更部材１４は、連結部材３２によって巻き上げられていないので、自重の影響によってスライド軸２４の下端に位置する。
【００４３】
図４（ｂ）に示すように、タンク装置３０における排水開始時は、操作レバー１６の操作によって排水弁１３が排水口２０を開く。排水口２０が開かれることで、排水口２０からの吐水が開始され、タンク１２内の洗浄水が排水管２１を介して便器本体２（図１参照）に排出される。この時、流路面積変更部材１４は、連結部材３２による巻き上げが開始される前であり、スライド軸２４の下端に位置する。このような流路面積変更部材１４により、排水管２１は絞られており、排水管２１内の流路面積は相対的に狭い。
【００４４】
図４（ｃ）に示すように、タンク装置３０における排水中は、タンク１２の水位が低下する一方で、連結部材３２による巻き上げによって、流路面積変更部材１４が上昇し嵌入部２３の下端に向けて徐々に近接する。流路面積変更部材１４が嵌入部２３の下端に向けて徐々に近接することで、排水管２１の流路面積が徐々に広がる。
【００４５】
［第３実施形態］
図５（ａ）は、第３実施形態に係るタンク装置４０における排水前の状態を示す模式図である。図５（ｂ）は、タンク装置４０における排水開始時の状態を示す模式図である。図５（ｃ）は、タンク装置４０における排水中の状態を示す模式図である。
【００４６】
本実施形態に係るタンク装置４０は、排水弁４１が回動することで排水口２０を開閉する点と、流路面積変更部材４２が左右方向にスライドする点と、流路面積変更部材４２の動力を発生させるモーター３１を備える点等が第１実施形態と相違する。
【００４７】
図５に示すように、タンク装置４０は、排水弁４１と、流路面積変更部材４２と、モーター３１と、連結部材３２と、等を備える。
【００４８】
排水弁４１は、頭部４３と、ヒンジ４４と、を備える。
【００４９】
頭部４３は、排水口２０の内径よりも一回り大きい外径で、ゴム等で平板形状に構成される。この頭部４３は、排水口２０の周縁にヒンジ４４を介して取り付けられ、水平軸回りに回動するものであり、排水弁４１が排水口２０を閉じる場合に、排水口２０を覆う。
【００５０】
以上の排水弁４１は、玉鎖１５を介して操作レバー１６に接続されており、操作レバー１６の操作により、水平軸回りに回動することで排水口２０を開閉する。
【００５１】
流路面積変更部材４２は、排水口２０の内径よりも小さい外径で、平板形状に形成される。この流路面積変更部材４２は、排水弁４１の下方において排水口２０の一部を覆う。また、流路面積変更部材４２は、水平方向にスライドするものであり、水平方向にスライドすることで、排水管２１の流路面積を変更する。
【００５２】
連結部材３２は、モーター３１と流路面積変更部材４２とを連結する紐等である。この連結部材３２は、モーター３１によって巻き上げられることで、流路面積変更部材４２を、水平方向でかつ排水口２０から退く方向に引っ張る。
【００５３】
流路面積変更部材４２は、連結部材３２によって巻き上げられていない場合、排水弁４１の下方において排水口２０の一部を覆う初期位置に存在する。そして、流路面積変更部材１４は、連結部材３２による巻き上げによって、水平方向でかつ排水口２０から退く方向にスライドし、排水管２１の流路面積を広げる。
【００５４】
次に、図５を用いて、タンク装置４０における排水の流れを説明する。
【００５５】
図５（ａ）に示すように、タンク装置４０における排水前は、排水弁４１が排水口２０を閉じており、導水配管１１を介して供給される洗浄水によって、タンク１２は満水になっている。流路面積変更部材４２は、連結部材３２によって巻き上げられていないので、排水弁４１の下方において排水口２０の一部を覆う初期位置に存在する。
【００５６】
図５（ｂ）に示すように、タンク装置４０における排水開始時は、操作レバー１６の操作によって排水弁４１が排水口２０を開く。排水口２０が開かれることで、排水口２０からの吐水が開始され、タンク１２内の洗浄水が排水管２１を介して便器本体２（図１参照）に排出される。この時、流路面積変更部材４２は、連結部材３２による巻き上げが開始される前であり、排水口２０の一部を覆う初期位置に存在する。このような流路面積変更部材４２により、排水管２１は絞られており、排水管２１内の流路面積は相対的に狭い。
【００５７】
図５（ｃ）に示すように、タンク装置４０における排水中は、タンク１２の水位が低下する一方で、連結部材３２による巻き上げによって、流路面積変更部材４２が排水口２０から徐々に退く。流路面積変更部材４２が排水口２０から徐々に退くことで、排水管２１の流路面積が徐々に広がる。
【００５８】
［第４実施形態］
図６（ａ）は、第４実施形態に係るタンク装置５０における排水前の状態を示す模式図である。図６（ｂ）は、タンク装置５０における排水開始時の状態を示す模式図である。図６（ｃ）は、タンク装置５０における排水中の状態を示す模式図である。
【００５９】
本実施形態に係るタンク装置５０は、流路面積変更部材１４の動力を発生させる浮き５２を備える点等が第１実施形態と相違する。
【００６０】
図６に示すように、タンク装置５０は、排水弁５１と、浮き５２と、連結部材３２と、等を備える。
【００６１】
排水弁５１は、頭部２２と、嵌入部２３と、スライド軸５３と、を備える。
【００６２】
スライド軸５３は、頭部２２及び嵌入部２３を貫通するように、頭部２２及び嵌入部２３に固定され、下端が下方に向けて延出すると共に、上端が上方に向けて延出する。スライド軸５３における下方には、流路面積変更部材１４がスライド可能に取り付けられる。スライド軸５３における上方は、連結部材３２をガイドする。
【００６３】
連結部材３２は、浮き５２と流路面積変更部材４２とを連結する紐等であり、排水弁５１を貫通するようにスライド軸５３に沿って設けられる。より具体的には、連結部材３２は、滑車等の方向変換部材（図示せず）に掛け渡された状態で一端側が浮き５２に接続され、他端側が流路面積変更部材４２に接続される。この連結部材３２は、タンク１２の水面に浮かぶ浮き５２によって一端側が下方に向けて引っ張られることで、流路面積変更部材１４を引き上げる。
【００６４】
流路面積変更部材１４は、連結部材３２によって引き上げられていない場合、自重によってスライド軸５３の下端に位置する。そして、流路面積変更部材１４は、連結部材３２による引き上げによって、スライド軸５３に沿って上方にスライドし、嵌入部２３の下端に近接し又は到達する。
【００６５】
次に、図６を用いて、タンク装置５０における排水の流れを説明する。
【００６６】
図６（ａ）に示すように、タンク装置５０における排水前は、排水弁５１が排水口２０を閉じており、導水配管１１を介して供給される洗浄水によって、タンク１２は満水になっている。流路面積変更部材１４は、連結部材３２によって引き上げられていないので、自重によってスライド軸５３の下端に位置する。
【００６７】
図６（ｂ）に示すように、タンク装置５０における排水開始時は、操作レバー１６の操作によって排水弁５１が排水口２０を開く。排水口２０が開かれることで、排水口２０からの吐水が開始され、タンク１２内の洗浄水が排水管２１を介して便器本体２（図１参照）に排出される。この時、流路面積変更部材１４は、連結部材３２による引き上げが開始される前であり、スライド軸５３の下端に位置する。このような流路面積変更部材１４により、排水管２１は絞られており、排水管２１内の流路面積は相対的に狭い。
【００６８】
図６（ｃ）に示すように、タンク装置５０における排水中は、タンク１２の水位が低下する一方で、連結部材３２による引き上げによって、流路面積変更部材１４が上昇し嵌入部２３の下端に向けて徐々に近接する。流路面積変更部材１４が嵌入部２３の下端に向けて徐々に近接することで、排水管２１の流路面積が徐々に広がる。
【００６９】
［第５実施形態］
図７（ａ）は、第５実施形態に係るタンク装置６０における排水前の状態を示す模式図である。図７（ｂ）は、タンク装置６０における排水開始時の状態を示す模式図である。図７（ｃ）は、タンク装置６０における排水中の状態を示す模式図である。
【００７０】
本実施形態に係るタンク装置６０は、排水弁６１が流路面積変更部材を兼ねる点と、流路面積変更部材を兼ねる排水弁６１の動力を発生させるモーター６３を備える点等が第１実施形態と相違する。
【００７１】
図７に示すように、タンク装置６０は、排水弁６１と、操作レバー６２と、モーター６３と、等を備える。
【００７２】
排水弁６１は、排水口２０の内径よりも一回り大きい外径で、ゴム等で平板形状に構成される。この排水弁６１は、上下方向に移動するものであり、排水口２０を閉じる場合に、排水口２０を覆う。
【００７３】
以上の排水弁６１は、玉鎖１５を介して操作レバー６２に接続されており、操作レバー６２の操作に伴うモーター６３の駆動により、上下方向に移動することで排水口２０を開閉する。
【００７４】
モーター６３は、操作レバー６２と一体に構成され、タンク１２の満水時の水面よりも上方に配置される。このモーター６３は、操作レバー６２の操作に伴って駆動すると共に、周知のセンサー、スイッチ又はタイマー等の動作に伴って停止する。具体的には、モーター６３は、操作レバー６２の操作に連動して駆動することで、玉鎖１５の引き上げを開始し、玉鎖１５の引き上げが完了すると停止する。
【００７５】
次に、図７を用いて、タンク装置６０における排水の流れを説明する。
【００７６】
図７（ａ）に示すように、タンク装置６０における排水前は、排水弁６１が排水口２０を閉じており、導水配管１１を介して供給される洗浄水によって、タンク１２は満水になっている。
【００７７】
図７（ｂ）に示すように、タンク装置６０における排水開始時は、操作レバー６２の操作に伴うモーター６３の駆動が開始され、排水弁６１が排水口２０を開く。排水口２０が開かれることで、排水口２０からの吐水が開始され、タンク１２内の洗浄水が排水管２１を介して便器本体２（図１参照）に排出される。この時、流路面積変更部材を兼ねる排水弁６１は、モーター６３の駆動による引き上げが開始された直後である。このため、排水弁６１により、排水管２１への排水路は絞られており、排水路の流路面積は相対的に狭い。
【００７８】
図７（ｃ）に示すように、タンク装置６０における排水中は、タンク１２の水位が低下する一方で、モーター６３の駆動による引き上げによって、排水弁６１が徐々に引き上げられる。排水弁６１が徐々に引き上げられることで、排水管２１への排水路の流路面積が徐々に広がる。
【００７９】
［第６実施形態］
図８（ａ）は、第６実施形態に係るタンク装置７０における排水前の状態を示す模式図である。図８（ｂ）は、タンク装置７０における排水開始時の状態を示す模式図である。図８（ｃ）は、タンク装置７０における排水中の状態を示す模式図である。
【００８０】
本実施形態に係るタンク装置７０は、排水弁７１が流路面積変更部材を兼ねる点と、流路面積変更部材を兼ねる排水弁７１の動力を発生させるモーター６３を備える点等が第１実施形態と相違する。
【００８１】
図８に示すように、タンク装置７０は、排水弁７１と、操作レバー６２と、モーター６３と、等を備える。
【００８２】
排水弁７１は、排水口２０の内径よりも一回り大きい外径で、ゴム等で平板形状に構成される。この排水弁７１は、水平方向にスライドするものであり、水平方向にスライドすることで、排水管２１の流路面積を変更すると共に、排水口２０を閉じる場合に、排水口２０を覆う。
【００８３】
以上の排水弁７１は、玉鎖１５を介して操作レバー６２に接続されており、操作レバー６２の操作に伴うモーター６３の駆動により、左右方向にスライドすることで排水口２０を開閉する。
【００８４】
モーター６３は、操作レバー６２と一体に構成され、タンク１２の満水時の水面よりも上方に配置される。このモーター６３は、操作レバー６２の操作に伴って駆動すると共に、周知のセンサー、スイッチ又はタイマー等の動作に伴って停止する。具体的には、モーター６３は、操作レバー６２の操作に連動して駆動することで、玉鎖１５の引張りを開始し、玉鎖１５の引張りが完了すると停止する。
【００８５】
次に、図８を用いて、タンク装置７０における排水の流れを説明する。
【００８６】
図８（ａ）に示すように、タンク装置７０における排水前は、排水弁７１が排水口２０を閉じており、導水配管１１を介して供給される洗浄水によって、タンク１２は満水になっている。
【００８７】
図８（ｂ）に示すように、タンク装置７０における排水開始時は、操作レバー６２の操作に伴うモーター６３の駆動が開始され、排水弁７１が排水口２０を開く。排水口２０が開かれることで、排水口２０からの吐水が開始され、タンク１２内の洗浄水が排水管２１を介して便器本体２（図１参照）に排出される。この時、流路面積変更部材を兼ねる排水弁７１は、モーター６３の駆動による引張りが開始された直後である。このため、排水弁７１により、排水管２１は絞られており、排水管２１の流路面積は相対的に狭い。
【００８８】
図８（ｃ）に示すように、タンク装置７０における排水中は、タンク１２の水位が低下する一方で、モーター６３の駆動による引張りによって、排水弁７１が排水口２０から徐々に退く。排水弁７１が排水口２０から徐々に退くことで、排水管２１の流路面積が徐々に広がる。
【００８９】
以上、本発明のタンク装置１０，３０，４０，５０，６０，７０の好ましい実施形態について説明したが、本発明は、上述した実施形態に制限されるものではなく、適宜変更が可能である。すなわち、排水弁が流路面積変更部材を兼ねる態様において、流路面積変更部材を兼ねる排水弁が回動するように構成してもよい。
【符号の説明】
【００９０】
１  便器装置
２  便器本体
３  便鉢
４  便器排水路
５  封水部
６  絞り部
１０，３０，４０，５０，６０，７０  タンク装置
１１  導水配管
１２  タンク
１３，４１，５１，６１，７１  排水弁
１４，４２  流路面積変更部材
１５  玉鎖
１６，６２  操作レバー
１７  フロート
１８  底部
１９  側壁
２０  排水口
２１  排水管
２２，４３  頭部
２３  嵌入部
２４，５３  スライド軸
３１，６３  モーター
３２  連結部材
４４  ヒンジ
５２  浮き
Ｑ  流量
Ａ  流路面積
ｈ  水位
【図１】
2018053512.tif 000003
【図２】
2018053512.tif 000004
【図３】
2018053512.tif 000005
【図４】
2018053512.tif 000006
【図５】
2018053512.tif 000007
【図６】
2018053512.tif 000008
【図７】
2018053512.tif 000009
【図８】
2018053512.tif 000010